(57)【要約】【課題】部品点数を削減することができ、製造が簡単で、コストを低減することができる魚釣用リールを提供する。【解決手段】ハンドルの操作により連動回転する駆動軸８を支持し、リール本体１に装着される軸受９と、リール本体１に螺合され、軸受９をリール本体１に係止するためのねじ１７と、駆動軸８の外周に設けられ、駆動軸８の一方向の回転を許容し他方向の回転を阻止する逆転防止体１０と、リール本体１に設けられ、逆転防止体１０に係止される係止部材２０と、を備え、ねじ１７で係止部材２０が支持されていることを特徴とする。【選択図】図２
2008104405.tif 000002
【特許請求の範囲】
【請求項１】
ハンドルの操作により連動回転する駆動軸を支持し、リール本体に装着された軸受と、
前記リール本体に螺合され、前記軸受を前記リール本体に係止するためのねじと、
前記駆動軸の外周に設けられ、当該駆動軸の一方向の回転を許容し他方向の回転を阻止する逆転防止体と、
前記リール本体に設けられ、前記逆転防止体に係止される係止部材と、を備え、
前記ねじで前記係止部材が支持されていることを特徴とする魚釣用リール。
【請求項２】
前記軸受は、前記ねじの頭部が当接されて係止されることを特徴とする請求項１に記載の魚釣用リール。
【請求項３】
前記ねじによって前記リール本体に固定される軸受係止部材を備え、
前記軸受は、前記軸受係止部材を介して前記リール本体に係止されることを特徴とする請求項１に記載の魚釣用リール。
【請求項４】
前記リール本体に形成され、前記駆動軸の外周に設けられた前記逆転防止体を囲繞する有底筒状の支持壁と、
この支持壁の壁部に形成された切欠部と、を備え、
前記軸受は、前記支持壁の内側に装着され、前記支持壁の開口側から軸方向に沿って螺入される前記ねじで係止されるとともに、
少なくとも前記係止部材を支持する前記ねじは、前記切欠部に配置された前記係止部材の支持孔を貫通して前記切欠部よりも底側の前記支持壁へ螺合される長さを有することを特徴とする請求項１から請求項３のいずれか１項に記載の魚釣用リール。
【請求項５】
前記支持壁にはボス部が形成されており、
前記ねじは、前記ボス部に螺合されることを特徴とする請求項４に記載の魚釣用リール。
【発明の詳細な説明】
【技術分野】
【０００１】
本発明は、魚釣用リールに関し、特に、ハンドルの回転操作に連動回転する回転体の、釣糸繰り出し方向の回転（逆転）を防止する逆転防止機構を備えた魚釣用リールに関する。
【背景技術】
【０００２】
従来、この種の逆転防止機構を備えた魚釣用リールとして、例えば、特許文献１，２に開示されたものが知られている。一般的に、魚釣用リールの逆転防止機構は、図７に示すように、リール本体３０に軸受３１を介して中空の回転軸３２が支持され、この回転軸３２の外周にラチェット歯車３３が一体回転するように設けられ、さらに、このラチェット歯車３３に対して係合離脱するラチェット爪３４が、リール本体３０に揺動可能に支持されて構成されている。ラチェット歯車３３に対するラチェット爪３４の係合離脱は、リール本体３０の外部に通じる操作軸３５の回動操作によってラチェット爪３４が揺動されることで行われる。
そして、このような逆転防止機構を回転軸３２とリール本体３０との間に配設することで、回転軸３２に連結されたロータ４０の一方向の回転が許容され、他方向の回転（釣糸繰り出し方向の回転）が防止されるようになっている。
【０００３】
ところで、回転軸３２を支持する軸受３１は、リール本体３０の軸受装着部３１ａに装着され、その開口に取り付けられた軸受係止部材３６で軸受装着部３１ａからの抜け止めが図られていた。そして、軸受係止部材３６の取り付けは、図８に示すように、ねじ３７，３７を用いて行われていた。
【０００４】
【特許文献１】実開平１−９８５６８号公報
【特許文献２】実開平５−２１６６１号公報
【発明の開示】
【発明が解決しようとする課題】
【０００５】
ところで、前記した従来の魚釣用リールでは、図８に示すように、軸受係止部材３６がねじ３７，３７で軸受装着部３１ａに固定され、他方、ラチェット爪３４がねじ３４ａでリール本体３０に揺動可能に抜け止め支持されていた。つまり、軸受３１の抜け止め用にねじ３７，３７が必要であり、ラチェット爪３４の揺動支持および抜け止め用に、軸受３１の抜け止め用とは別のねじ３４ａが必要であった。このため、部品点数が多くなり、組み付けが煩雑であるとともに、コストが嵩むという問題を有していた。
【０００６】
このような観点から、本発明は、部品点数を削減することができ、製造が簡単で、コストを低減することができる魚釣用リールを提供することを課題とする。
【課題を解決するための手段】
【０００７】
このような課題を解決する本発明の魚釣用リールは、ハンドルの操作により連動回転する駆動軸を支持し、リール本体に装着された軸受と、前記リール本体に螺合され、前記軸受を前記リール本体に係止するためのねじと、前記駆動軸の外周に設けられ、当該駆動軸の一方向の回転を許容し他方向の回転を阻止する逆転防止体と、前記リール本体に設けられ、前記逆転防止体に係止される係止部材と、を備え、前記ねじで前記係止部材が支持されていることを特徴とする。
【０００８】
この魚釣用リールによれば、リール本体に装着された軸受を係止するためのねじで、逆転防止体に係止される係止部材が支持されているので、別途、係止部材を支持するための支持部材をリール本体に設ける必要がない。したがって、部品点数が削減されるとともに、構造が簡素化され、組立性、生産性に優れた魚釣用リールが得られる。また、分解時の工程も削減することができる。
特に、魚釣用リールが小型である場合には、駆動軸周りに係止部材の支持部材を配設するスペースが確保され難いため、このように軸受を係止するためのねじに、係止部材を支持する機能をもたせることは魚釣用リールのさらなる小型化を図る上で効果的である。
また、部品組付け時には、ねじによる固定を行うことで係止部材を同時に支持することができ、製造工数の削減およびコストを低減させることができる。
【０００９】
なお、従来のように、軸受を係止するためのねじで係止部材を支持せず、別途支持するように構成した場合には、その係止部材を支持する部位の肉厚を分厚く形成して支持強度を確保する必要がある。そのため、リール本体の重量が増大する。
これに対して、本発明では、軸受を係止するためのねじで係止部材を支持するようにしたので、係止部材を支持するための部位を別途形成する必要がなくなる。したがって、リール本体の重量が削減されるようになり、支持に係る他のねじ等の部材が不要となることと相俟って、軽量化を実現することができる。このことは、魚釣時の軽快な操作感を得ることに良好に寄与する。
【００１０】
また、本発明においては、前記ねじの頭部が当接されて前記軸受が係止される構成とするのがよい。このように構成することで、螺合されるねじの頭部で、直接に、軸受装着部に装着された軸受を係止することができ、構成が簡素化され、組立性に優れた魚釣用リールが得られる。
【００１１】
本発明においては、前記ねじによって前記リール本体に固定される軸受係止部材を備え、前記軸受は、前記軸受係止部材を介して前記リール本体の前記軸受装着部に係止される構成とするのがよい。このように構成することで、ねじと軸受装着部との間の摩擦、およびねじと軸受との間の摩擦が回避されるようになり、耐久性を向上させることができる。
【００１２】
また、本発明においては、前記リール本体に形成され、前記駆動軸の外周に設けられた前記逆転防止体を囲繞する有底筒状の支持壁と、この支持壁の壁部に形成された切欠部と、を備え、前記軸受は、前記支持壁の内側に装着され、前記支持壁の開口側から軸方向に沿って螺入される前記ねじで係止されるとともに、少なくとも前記係止部材を支持する前記ねじは、前記切欠部に配置された前記係止部材の支持孔を貫通して前記切欠部よりも底側の前記支持壁へ螺合される長さを有する構成とするのがよい。
【００１３】
この魚釣用リールによれば、少なくとも係止部材を支持するねじは、支持壁の開口側から軸方向に沿って螺入され、切欠部に配置された係止部材の支持孔を貫通し、さらに、切欠部よりも底側の支持壁へ螺合される構成であるので、係止部材は、支持壁の開口側および底側の両側にわたるねじで両持ち状態に支持されるようになる。したがって、係止部材の支持強度が高められる。また、逆転防止体を通じて駆動軸の他方向の回転を阻止する際に、係止部材に作用する力を支持壁側へ好適に伝達することができる。これによって、係止部材の変形を好適に防止することができる。
【００１４】
本発明においては、前記支持壁の例えば外周部の一部にボス部を形成して、前記ボス部に前記ねじが螺合される構成としてもよい。このように構成することで、例えば、支持壁のボス部が形成される部分以外の部分の肉厚を薄く形成することも可能となる。したがって、ねじによる支持強度を確保しつつ軽量化に寄与する魚釣用リールが得られる。
【発明の効果】
【００１５】
本発明によれば、部品点数を削減することができ、製造が簡単で、コストを低減することができる魚釣用リールが得られる。
【発明を実施するための最良の形態】
【００１６】
以下、本発明に係る魚釣用リールの実施の形態について図面を参照しながら説明する。
（第１実施形態）
参照する図面において、図１は本発明の第１実施形態に係る魚釣用リールとしてのスピニングリールを示す断面図（一部省略）、図２（ａ）は図１のＡ−Ａ線に沿う要部の部分破断断面図、図２（ｂ）は図２（ａ）のＢ−Ｂ線に沿う断面図である。
なお、以下の例では、魚釣用リールとしてスピニングリールに適用した例を示すが、本発明の魚釣用リールの形態を限定する趣旨ではない。また、以下の説明において、「前、後」は、スピニングリールを図示しない釣竿に取り付けた状態を基準とする。つまり、後記するスプールが設けられる側が「前」側であり、後記する逆転防止機構を操作するための操作レバーが設けられる側が「後」側である。
【００１７】
図１に示すように、主として、魚釣用リールは、図示しない釣竿に装着するための脚部１Ａが形成されたリール本体１と、リール本体１の前方に回転可能に設けられた回転体としてのロータ２と、このロータ２の回転運動と同期して前後方向移動可能に設けられたスプール３とを有して構成される。
【００１８】
リール本体１には、図示しない軸受を介してハンドル軸４が回転可能に支持されており、その図示しない突出端部には、巻取り操作されるハンドル５が取り付けられている。ハンドル軸４には、ロータ２を巻取り駆動するための内歯が形成されたドライブギヤ６が固定されている。このドライブギヤ６は、駆動軸としての回転軸８に形成されたピニオンギヤ８ａに噛合している。
【００１９】
回転軸８は、ハンドル軸４の近傍から前方へ向けて延出された中空円筒状の部材であり、軸受９を介してリール本体１の前部に形成された円筒状の支持壁１ａの軸受装着部１ｂに回転可能に支持されている。回転軸８は、そのハンドル軸４側に、前記したピニオンギヤ８ａが形成され、また、スプール３側に、ロータ２を固定するためのナット１５ｂが螺合されるねじ８ｂが形成され、その中空円筒内に後記するメインシャフト１５が軸方向に摺動可能に挿通される。そして、回転軸８の軸方向略中央部には、装着された軸受９に隣接して逆転防止機構を構成する逆転防止体としてのラチェット歯車１０が装着される。
【００２０】
ラチェット歯車１０は、図２（ａ）に示すように、外周部に鋸歯状のラチェット歯１０ａが周方向に間隔を隔てて複数形成された部材である。ラチェット歯車１０の中心には、回転軸８に形成された非円形の面取部８ｆに回り止め係止される係止孔１０ｂが形成されており、回転軸８に装着された状態で、図１に示すように、その後端側が、回転軸８に形成された段部８ｃに当接し、前端側が、回転軸８に挿通されたロータ２の円筒支軸部２ａに当接される。そして、前記したナット１５ｂでロータ２が締め付けられることによって、ラチェット歯車１０は、回転軸８に一体回転されるように固定される。
【００２１】
また、図１に示すように、回転軸８のピニオンギヤ８ａは、メインシャフト１５を軸方向に前後動させるオシレーティング機構１１の図示しないギヤに噛合している。このオシレーティング機構１１は、メインシャフト１５と平行に延出するトラバースカム軸１２と、このトラバースカム軸１２の螺旋溝に係合され、メインシャフト１５の後端部にねじ止め固定された係合子１３とを有している。
【００２２】
このようなオシレーティング機構１１によれば、ハンドル５の回転操作により、ドライブギヤ６、回転軸８のピニオンギヤ８ａおよび図示しないギヤを介してトラバースカム軸１２が回転駆動されると、トラバースカム軸１２に沿って係合子１３が前後方向に案内され、メインシャフト１５が前後動されることとなる。これによって、メインシャフト１５の前端部に固定されたスプール３が前後動される。
【００２３】
ロータ２は、スプール３のスカート部３ａ内に位置する円筒部２ｂと、一対の支持腕２ｃを具備している。一方の支持腕２ｃの前端部には、ベール支持部材２ｄが釣糸巻取り位置と釣糸放出位置との間で回動自在に支持されており、放出状態にある釣糸をピックアップするベール２ｅが設けられている。
【００２４】
また、スプール３は、スカート部３ａとフランジ３ｂとの間に図示しない釣糸が巻回される胴部３ｃを備えており、メインシャフト１５に図示しないドラグ機構を介して摩擦結合され、ドラグノブ１５ａを回動操作することでスプール３のドラグ力が調節される。
【００２５】
軸受９は、ボールベアリングであり、回転軸８の大径部８ｄの外周壁が内輪に圧入され、大径部８ｄの後側に連続して形成されたフランジ部８ｅに、軸受９の後端が当接する状態で固定される。また、軸受９は、前記したように、軸受装着部１ｂに外輪が嵌合または緩く圧入されて装着される。
本実施形態では、このように軸受装着部１ｂに装着された軸受９を、図２（ａ）（ｂ）に示すように、ねじ１６、およびねじ１７により固定される軸受係止部材１８を用いて抜け止め係止している。また、ねじ１７には、軸受係止部材１８を介して逆転防止機構を構成する係止部材としてのラチェット爪２０が揺動可能に支持されている。
【００２６】
支持壁１ａには、図２（ａ）（ｂ）に示すように、メインシャフト１５を挟んで径方向両側にボス部１９Ａ，１９Ｂが形成されている。ボス部１９Ａには、ねじ１６が螺合されるねじ穴１９ａ（図２（ｂ）参照）が形成されており、また、ボス部１９Ｂには、ねじ１７が螺合されるねじ穴１９ｂ（図２（ｂ）参照）が形成されている。
図２（ａ）（ｂ）に示すように、ねじ１６，１７は、頭部の薄く形成されたトラスねじを用いており、回転軸８の周りにおける、ねじ１６，１７の頭部の突出量が小さくなるようにしてある。軸受９の外輪の周縁は、ボス部１９Ａ側において、ねじ１６の頭部の周縁の一部が当接されて抜け止め係止され、また、ボス部１９Ｂ側において、軸受係止部材１８の一部が当接されて抜け止め係止される。なお、ねじ１６，１７は、回転軸８の軸線と平行に螺合されており、また、ねじ１７は、ラチェット爪２０を支持し得るねじ長を備えている。
【００２７】
軸受係止部材１８は、図２（ｂ）に示すように、ねじ１７が挿通される円筒部１８ａと、軸受９の外輪の周縁に当接して抜け止め係止するフランジ部１８ｂとを備えており、断面ハット状を呈している。円筒部１８ａは、ラチェット爪２０の揺動孔２０ａに挿通され、ラチェット爪２０を揺動可能に支持する。
【００２８】
ラチェット爪２０は、図２（ａ）に示すように、軸受係止部材１８に揺動可能に装着され、先端にラチェット歯車１０のラチェット歯１０ａに係脱する爪部２０ｂを有している。また、この爪部２０ｂの逆側には、後記する操作軸２２のカム２２ｃに係合する腕部２０ｃが設けられている。このようなラチェット爪２０には、爪部２０ｂをラチェット歯車１０側へ付勢するコイルばね２１が係止されている。コイルばね２１は、その一端２１ｂが爪部２０ｂに係止され、他端２１ｃが、図２（ｂ）に示すように、ボス部１９Ｂに設けられた止め部１９ｃに係止されている。ここで、係脱とは、ラチェット歯１０ａに爪部２０ｂが係止されること、およびこの係止された状態から爪部２０ｂが離脱することをいう。
【００２９】
腕部２０ｃが係合する操作軸２２は、図１に示すように、リール本体１内を通じてリール本体１の後部へ延設され、その後端に取り付けられた操作レバー２２ｂが操作されることによって、その軸心周りに回動可能である。操作軸２２の先端には、図２（ａ）に示すように、爪部２０ｂの腕部２０ｃが係合する半円状のカム２２ｃが形成されている。このカム２２ｃは、操作レバー２２ｂの回動操作によって回動され、爪部２０ｂがラチェット歯１０ａに係止される状態（ＯＮ位置）、または、このＯＮ位置から約９０度回動されて、爪部２０ｂがラチェット歯１０ａから離脱する状態（ＯＦＦ位置）を切り替えるようになっている。
【００３０】
すなわち、操作レバー２２ｂをＯＮ位置にすると、爪部２０ｂがラチェット歯１０ａに係止され、回転軸８に固定されたロータ２（図１参照、以下同じ）は、釣糸巻取り方向の回転（一方向の回転：正回転）のみが許容され、釣糸繰り出し方向の回転（他方向の回転：逆回転）が阻止された状態となる。これにより、ハンドル５（図１参照、以下同じ）の逆転方向の回転が防止される。また、操作レバー２２ｂをＯＦＦ位置にすると、爪部２０ｂがラチェット歯１０ａから離脱し、回転軸８に固定されたロータ２は、いずれの方向にも回転が可能な状態となる。したがって、ハンドル５の正転方向および逆転方向の回転が可能となる。
【００３１】
このようなラチェット爪２０は、ねじ１７をボス部１９Ｂに螺合する際に同時に取り付けられる。すなわち、軸受係止部材１８をねじ１７で固定する際に、軸受係止部材１８の円筒部１８ａにラチェット爪２０を支持し、コイルばね２１を介在させて挿通したねじ１７を、ボス部１９Ｂに螺合することによって、同時に取り付けられる。なお、取付後に、コイルばね２１の一端２１ｂを爪部２０ｂに係止するとともに、他端２１ｃをボス部１９Ｂに設けられた止め部１９ｃに係止して、ラチェット爪２０に係合方向の付勢力を与える。
【００３２】
以上説明した本実施形態の魚釣用リールによれば、軸受装着部１ｂに装着された軸受９を抜け止め係止するためのねじ１７で、ラチェット歯車１０に係止されるラチェット爪２０が揺動可能に抜け止め支持されているので、別途に、ラチェット爪２０を揺動可能に抜け止め支持するための支軸をリール本体１に設ける必要がない。したがって、部品点数が削減されるとともに、構造が簡素化され、組立性、生産性に優れた魚釣用リールが得られる。すなわち、本実施形態によれば、部品点数の削減および組立工数の低減が推進されるので、歩留まりが向上し、製造コストを低減する上に多大な効果を奏する。
特に、魚釣用リールが小型である場合には、軸受９を抜け止め係止するためのねじ１７でラチェット爪２０を抜け止め支持することが、魚釣用リールのさらなる小型化を図る上で効果的である。
また、部品組付け時には、軸受係止部材１８の固定とラチェット爪２０の取り付けとをねじ１７の螺合によって同時に行うことができ、製造工数の削減およびコストを低減させることができる。
【００３３】
なお、従来のように、軸受９を係止するためのねじ１７でラチェット爪２０を支持せず、別途支持するように構成した場合には、そのラチェット爪２０を支持する部位の肉厚を分厚く形成して支持強度を確保する必要がある。そのため、リール本体１の重量が増大する。
これに対して、本実施形態では、軸受９を係止するためのねじ１７でラチェット爪２０を抜け止め支持するようにしたので、ラチェット爪２０を支持するための部位を別途形成する必要がなくなる。したがって、リール本体１の重量が削減されるようになり、支持に係る他のねじ等の部材が不要となることと相俟って、軽量化を実現することができる。このことは、魚釣時の軽快な操作感を得ることに良好に寄与する。
【００３４】
また、本実施形態においては、ボス部１９Ａ側において、ねじ１６の頭部が当接されて軸受９が係止されるようになっているので、ねじ１６の締め付けによって軸受９の係止が可能となり、組立性に優れた魚釣用リールが得られる。
【００３５】
また、ボス部１９Ｂ側において、軸受９は、軸受係止部材１８を介してリール本体１の軸受装着部１ｂに係止されるので、ねじ１７と軸受装着部１ｂとの間の摩擦、およびねじ１７と軸受９との間の摩擦が回避されるようになり、耐久性を向上させることができる。
【００３６】
さらに、支持壁１ａにボス部１９Ａ，１９Ｂが形成され、ボス部１９Ａ，１９Ｂにねじ１６，１７が螺合される構成としてあるので、例えば、支持壁１ａのボス部１９Ａ，１９Ｂが形成される部分以外の部分の肉厚を薄く形成することが可能となる。したがって、ねじ１６，１７による支持強度を確保しつつ軽量化に寄与することが可能な魚釣用リールが得られる。
【００３７】
（第２実施形態）
図３（ａ）は本発明の第２実施形態に係る魚釣用リールとしてのスピニングリールの要部を示す部分破断断面図、（ｂ）は同じく図３（ａ）のＣ−Ｃ線に沿う断面図である。なお、以下に説明する実施形態では、前記した実施形態と同様な機能を有する部分については、同一の符号を付し、その説明を省略する。
【００３８】
本実施形態が前記第１実施形態と主として異なるところは、第１実施形態で用いていたねじ１６が省略されており、ねじ１７だけで軸受９の抜け止め係止およびラチェット爪２０の抜け止め支持を行った点にある。具体的には、ねじ１７にて固定される軸受係止部材１８のフランジ部１８ｂを、図３（ａ）に示すように、軸受装着部１ｂの開口縁に沿うリング状に形成してある。このような軸受係止部材１８は、ねじ１７で固定されると、そのリング状のフランジ部１８ｂが軸受装着部１ｂの周縁部に沿って軸受９の外輪の周縁に当接した状態となり、これによって軸受９が軸受装着部１ｂに抜け止め係止されることとなる。
【００３９】
軸受装着部１ｂには、ボス部１９Ｂの径方向反対側に掛け部１９Ｃが形成されており、この掛け部１９Ｃにフランジ部１８ｂの他端縁１８ｃが係止されるようになっている。つまり、軸受係止部材１８のフランジ部１８ｂは、一端側がねじ１７で固定され、他端縁１８ｃが掛け部１９Ｃに係止されることによって、軸受装着部１ｂの開口縁に沿って固定される。
【００４０】
この第２実施形態の魚釣用リールによれば、１本のねじ１７によって軸受９の抜け止め係止とラチェット爪２０の抜け止め支持とを行うことができ、構造がより簡素化され、部品点数が削減されるとともに、より一層組立性、生産性に優れた魚釣用リールが得られる。
また、第１実施形態で用いていたねじ１６が不要となって、ボス部１９Ａを形成する必要がないので、リール本体１の軽量化を一層図ることができる。
【００４１】
（第３実施形態）
図４（ａ）（ｂ）は本発明の第３実施形態に係る魚釣用リールとしてのスピニングリールの要部を示す断面図である。
【００４２】
本実施形態が前記第１，第２実施形態と主として異なるところは、段付きねじ１７Ａを用いて、ラチェット爪２０および軸受係止部材２３，２４を支持するように構成した点にある。具体的に、図４（ａ）に示すように、ねじ１７Ａは、ねじ部１７ａと、このねじ部１７ａよりも大径の支持部１７ｂと、ねじ部１７ａと支持部１７ｂとの間に形成された溝部１７ｃとを有して構成される。
【００４３】
支持部１７ｂには、ラチェット爪２０が揺動可能に支持されるようになっている。また、溝部１７ｃには、軸受装着部１ｂに装着された軸受９の外輪の周縁に当接して軸受９を抜け止め係止するリング状の軸受係止部材２３が嵌合されている。この例では、ラチェット爪２０が支持部１７ｂに予め装着され、さらに、軸受係止部材２３が溝部１７ｃに予め嵌合一体化されて、部品としてのねじ１７Ａが構成される。
【００４４】
この構成によれば、ねじ１７Ａをボス部１９Ｂに螺合するだけで、軸受９の抜け止め係止およびラチェット爪２０の抜け止め支持を簡単に行うことができる。なお、図示しないボス部１９Ａ側（図２（ａ）参照）は、第１実施形態と同様にねじ１６の頭部で軸受９を抜け止め係止してもよいし、図示しない軸受係止部材を介して軸受９を抜け止め係止するようにしてもよい。
【００４５】
また、図４（ｂ）に示す例では、前記のような溝部１７ｃがねじ１７Ａに形成されておらず、ねじ部１７ａと支持部１７ｂとの段差部分に、リング状の軸受係止部材２４が保持されるように構成される。
【００４６】
この構成によれば、ねじ１７Ａをボス部１９Ｂに螺合するだけで、軸受９の抜け止め係止およびラチェット爪２０の抜け止め支持を簡単に行うことができる。なお、軸受係止部材２４は、組み付ける段階でねじ１７Ａのねじ部１７ａに装着すればよく、その装着も容易に行うことができる。なお、ねじ１７Ａの支持部１７ｂを前記例よりも大径に形成し、ねじ部１７ａと支持部１７ｂとの段差部分を大きく形成することによって、その段差部分で軸受９を係止するように構成してもよい。この場合には、軸受係止部材２３，２４を省略することができる。
【００４７】
（第４実施形態）
図５（ａ）は本発明の第４実施形態に係る魚釣用リールとしてのスピニングリールの要部を示す断面図、（ｂ）は同じく図５（ａ）のＤ−Ｄ線に沿う断面図である。また、図６は図５（ｂ）のＥ−Ｅ線に沿う断面図である。
本実施形態が前記第１〜第３実施形態と主として異なるところは、リール本体１に形成された有底円筒状の支持壁１ａを、ラチェット歯車１０を囲繞するように前方へ長く形成し、この支持壁１ａの壁部に切欠部１９Ｄを形成して、ここにねじ１７で支持されるラチェット爪２０を配置するようにした点が異なる。
【００４８】
支持壁１ａには、ねじ１６，１７が螺合されるボス部１９Ａ，１９Ｂが前記第１実施形態と同様に形成されているが、本実施形態では、図５（ｂ）に示すように、ボス部１９Ｂが支持壁１ａに沿う長さを有して形成され、また、それに合わせてねじ１７のねじ長も長くされている。そして、軸受９は、支持壁１ａの開口内側に形成された軸受装着部１ｂに装着されるようになっており、支持壁１ａの開口側（先端側）から軸方向に沿ってボス部１９Ａ，１９Ｂに螺入されるねじ１６，１７の頭部で係止されるようになっている。
【００４９】
切欠部１９Ｄは、ボス部１９Ｂの軸方向の略中央に形成されており、図６に示すように、ラチェット爪２０が揺動可能に配置される大きさを有している。そして、ねじ１７は、図５（ｂ）に示すように、そのねじ部１７ａがこの切欠部１９Ｄに配置されたラチェット爪２０の支持孔としての揺動孔２０ａに挿通された軸受係止部材１８（ここでは、単にカラーとして機能）を貫通して、開口側（前方側）のボス部１９Ｂ１から切欠部１９Ｄよりも底側（後方側）のボス部１９Ｂ２へ螺合されるようになっている。
【００５０】
この魚釣用リールによれば、支持壁１ａの開口側から軸方向に沿ってボス部１９Ｂに螺入されたねじ１７のねじ部１７ａが、ボス部１９Ｂ１から切欠部１９Ｄに配置されたラチェット爪２０の揺動孔２０ａを貫通し、底側（後方側）のボス部１９Ｂ２へ螺合される構成であるので、ラチェット爪２０は、ボス部１９Ｂの開口側（ボス部１９Ｂ１）からボス部１９Ｂ２（底側）へわたるねじ１７で両持ち状態に支持されるようになる。したがって、ラチェット爪２０の支持強度が高められる。また、ラチェット歯車１０を通じてラチェット爪２０に作用する力をボス部１９Ｂから支持壁１ａ側へ好適に伝達することができる。これによって、ラチェット爪２０の逆転防止時における変形を好適に防止することができる。
【００５１】
前記実施形態では、ボス部１９Ａ，１９Ｂに対してねじ１６，１７がそれぞれ螺合されるように構成したが、これに限られることはなく、軸受装着部１ｂを部分的あるいは全体的に肉厚に形成して、ねじ１６，１７が螺合されるように構成してもよい。
【００５２】
また、逆転防止体として、ラチェット歯車１０を用いたが、これに限られることはなく、公知の転がり式一方向クラッチを用いて、その外輪の外周部に、ラチェット爪２０が係合される係合溝を形成したり、ラチェット歯車を周り止め固定したりしてもよい。このような一方向クラッチを用いることによって、逆転方向の遊度が小さくなりフッキング操作性やドラグの滑り出し特性を向上させることができる。
なお、回転軸８および軸受９は、前記実施形態において、リール本体１の前部に設けているが、リール本体１内（ギヤボックス）に設けて魚釣用リールを構成してもよい。
さらに、前記実施形態では、揺動によってラチェット爪２０がラチェット歯車１０に係脱される例を示したが、これに限られることはなく、スライド移動可能にねじ１７で係止部材を支持し、スライド移動によって係止部材がラチェット歯車１０に係脱されるように構成してもよい。
【図面の簡単な説明】
【００５３】
【図１】本発明の第１実施形態に係る魚釣用リールとしてのスピニングリールを示す断面図（一部省略）である。
【図２】（ａ）は図１のＡ−Ａ線に沿う要部の部分破断断面図、（ｂ）は図２（ａ）のＢ−Ｂ線に沿う断面図である。
【図３】（ａ）は本発明の第２実施形態に係る魚釣用リールとしてのスピニングリールの要部を示す部分破断断面図、（ｂ）は同じく図３（ａ）のＣ−Ｃ線に沿う断面図である。
【図４】（ａ）（ｂ）は本発明の第３実施形態に係る魚釣用リールとしてのスピニングリールの要部を示す断面図である。
【図５】（ａ）は本発明の第４実施形態に係る魚釣用リールとしてのスピニングリールの要部を示す断面図、（ｂ）は同じく図５（ａ）のＤ−Ｄ線に沿う断面図である。
【図６】図５（ｂ）のＥ−Ｅ線に沿う断面図である。
【図７】従来技術の説明図である。
【図８】従来技術の説明図である。
【符号の説明】
【００５４】
１      リール本体
１ａ    支持壁
１ｂ    軸受装着部
２      ロータ
３      スプール
４      ハンドル軸
５      ハンドル
８      回転軸（駆動軸）
８ａ    ピニオンギヤ
９      軸受
１０    ラチェット歯車（逆転防止体）
１０ａ  ラチェット歯
１５    メインシャフト
１６，１７  ねじ
１７ａ  ねじ部
１７ｂ  支持部
１８    軸受係止部材
１９Ａ，１９Ｂ  ボス部
１９Ｂ１，１９Ｂ２  ボス部
１９Ｄ  切欠部
２０    ラチェット爪（係止部材）
２０ａ  揺動孔
２０ｂ  爪部
２３，２４    軸受係止部材
【図１】
2008104405.tif 000003
【図２】
2008104405.tif 000004
【図３】
2008104405.tif 000005
【図４】
2008104405.tif 000006
【図５】
2008104405.tif 000007
【図６】
2008104405.tif 000008
【図７】
2008104405.tif 000009
【図８】
2008104405.tif 000010